(57)【特許請求の範囲】
【請求項１】
少なくとも現在時刻を計時する時計手段と、所望の時刻に負荷を制御するためのプログラムを設定するプログラム設定手段と、設定されたプログラムを記憶するプログラム記憶手段と、電源及び負荷と直列に接続されて負荷への電源供給をオン／オフする開閉手段と、現在時刻が所望の時刻と一致した際に開閉手段をオン／オフする制御信号を出力する出力制御手段と、前記各手段をそれぞれ構成する弱電回路部品及び強電回路部品が実装される１枚の基板と、開閉手段の一方の出力端子と電源との間、及び、開閉手段の他方の出力端子と負荷との間をそれぞれ電気的に接続する導電部材とを備え、開閉手段と導電部材とは基板の同じ実装面に配置され、基板には開閉手段の出力端子に対応する部位に当該基板を厚み方向に貫通する第１貫通部が設けられ、各導電部材は、第１貫通部内に配置されて開閉手段の出力端子が接続される第１接続部と、基板の前記実装面側に配置される部位との間に基板側に突出する段差が設けられ、取付状態で第１接続部の表面が基板の前記実装面と同じ高さ又は当該実装面よりも反対面側に後退するように第１接続部を対応する第１貫通部に填め込んだことを特徴とするタイムスイッチ。
【請求項２】
前記導電部材に固定爪又は当該固定爪が差し込まれる固定孔の何れか一方を設けるとともに、前記基板に他方を設けたことを特徴とする請求項１記載のタイムスイッチ。
【請求項３】
電源が接続される電源接続端子、及び、負荷が接続される負荷接続端子を具備した端子ブロックを有し、当該端子ブロックは、前記開閉手段及び前記導電部材とともに基板の同じ実装面に配置され、基板には電源接続端子及び負荷接続端子に対応する部位に当該基板を厚み方向に貫通する第２貫通部が設けられ、前記各導電部材は、第２貫通部内に配置されて電源接続端子又は負荷接続端子の何れか一方が接続される第２接続部と、基板の前記実装面側に配置される部位との間に基板側に突出する段差が設けられ、取付状態で第２接続部の表面が基板の前記実装面と同じ高さ又は当該実装面よりも反対面側に後退するように第２接続部を対応する第２貫通部に填め込んだことを特徴とする請求項１又は２の何れか１項に記載のタイムスイッチ。
【発明の詳細な説明】
【技術分野】
【０００１】
本発明は、予め設定した時刻において負荷を制御するタイムスイッチに関するものである。
【背景技術】
【０００２】
従来より、計時用の演算素子や表示素子や操作スイッチなどの弱電回路部品と、負荷制御用の出力リレーや電源接続端子や負荷接続端子などの強電回路部品とを１枚のプリント基板に実装したタイムスイッチが提供されている（例えば特許文献１参照）。
【０００３】
このタイムスイッチは、基板上に実装された出力リレーと電源接続端子及び負荷接続端子との間が基板上に形成された導電パターンによってそれぞれ電気的に接続されており、出力リレーがオンすると各導電パターンには接続された負荷に応じた負荷電流が流れる。
【０００４】
また、機械式の時計機能部などの弱電回路部分と、スイッチ要素や電源接続端子及び負荷接続端子などの強電回路部分とを別体に設けたタイムスイッチも提供されている（例えば特許文献２参照）。
【０００５】
このタイムスイッチは、メインケース及びサブケースを分離可能に結合して形成された内ケースを有し、機械式の時計機能部などの弱電回路部分はメインケース側に収納され、スイッチ要素や電源接続端子及び負荷接続端子などの強電回路部分はサブケース側に収納されている。また、弱電回路部分と強電回路部分との間は電線などにより電気的に接続されており、時計機能部で発生した動作信号に応じてスイッチ要素がオンオフすることで負荷を制御している。
【特許文献１】実開平３−５１３９５号公報（第７頁、及び、第２図）
【特許文献２】特開平１１−１３４９９０号公報（段落［００１８］、及び、第１図）
【発明の開示】
【発明が解決しようとする課題】
【０００６】
前者の特許文献１に示したタイムスイッチでは、強電回路部分に大きな負荷電流を流す場合、導電パターンの断面積を大きくする必要があるが、導電パターンを形成する銅箔の厚みは比較的薄いため導電パターンの幅を大きくする必要があった。その結果、導電パターンを形成するプリント基板の面積が大きくなり、タイムスイッチが大型化するという問題があった。また、導電パターンを形成する銅箔の厚みを厚くした場合、導電パターンの幅を小さくすることができるので、プリント基板を小型化することができるが、弱電回路部分に対応した導電パターンを形成する銅箔の厚みも厚くなるため、コストアップになるという問題もあった。
【０００７】
さらに、強電回路部分の導電パターンに半田を盛り付けることで導電パターンの断面積を大きくする方法もあるが、この場合、半田付け作業が大幅に増加するとともに一定量の半田を盛り付けることが困難であるため、品質が不安定になる虞があった。また、出力リレーと電源接続端子及び負荷接続端子とを基板に実装した後に、裏面側から導電部材を用いて出力リレーの出力端子と電線接続端子及び負荷接続端子との間を接続し、導電部分の断面積を大きくする方法もあるが、この場合も半田付け作業が大幅に増加するとともに追加の部品が必要になるため、コストアップになるという問題があった。
【０００８】
一方、後者の特許文献２に示したタイムスイッチでは、弱電回路部分と強電回路部分とが別体に設けられているため、それぞれ負荷電流に応じた回路形成をすることができるが、この場合、弱電回路部分と強電回路部分とを別体に設けることで部品点数が多くなり、また生産工数も増加するためコストアップになるという問題があった。
【０００９】
本発明は上記問題点に鑑みて為されたものであり、その目的とするところは、大きな負荷容量を有しつつコストアップを抑えた小型のタイムスイッチを提供することにある。
【課題を解決するための手段】
【００１０】
請求項１の発明は、少なくとも現在時刻を計時する時計手段と、所望の時刻に負荷を制御するためのプログラムを設定するプログラム設定手段と、設定されたプログラムを記憶するプログラム記憶手段と、電源及び負荷と直列に接続されて負荷への電源供給をオン／オフする開閉手段と、現在時刻が所望の時刻と一致した際に開閉手段をオン／オフする制御信号を出力する出力制御手段と、各手段をそれぞれ構成する弱電回路部品及び強電回路部品が実装される１枚の基板と、開閉手段の一方の出力端子と電源との間、及び、開閉手段の他方の出力端子と負荷との間をそれぞれ電気的に接続する導電部材とを備え、開閉手段と導電部材とは基板の同じ実装面に配置され、基板には開閉手段の出力端子に対応する部位に当該基板を厚み方向に貫通する第１貫通部が設けられ、各導電部材は、第１貫通部内に配置されて開閉手段の出力端子が接続される第１接続部と、基板の実装面側に配置される部位との間に基板側に突出する段差が設けられ、取付状態で第１接続部の表面が基板の実装面と同じ高さ又は当該実装面よりも反対面側に後退するように第１接続部を対応する第１貫通部に填め込んだことを特徴とする。ここに、弱電回路部品とは、電子回路などに用いられる回路部品のことをいい、強電回路部品とはそれ以外に用いられる回路部品のことをいう。
【００１１】
請求項２の発明は、導電部材に固定爪又は当該固定爪が差し込まれる固定孔の何れか一方を設けるとともに、基板に他方を設けたことを特徴とする。
【００１２】
請求項３の発明は、電源が接続される電源接続端子、及び、負荷が接続される負荷接続端子を具備した端子ブロックを有し、当該端子ブロックは、開閉手段及び導電部材とともに基板の同じ実装面に配置され、基板には電源接続端子及び負荷接続端子に対応する部位に当該基板を厚み方向に貫通する第２貫通部が設けられ、各導電部材は、第２貫通部内に配置されて電源接続端子又は負荷接続端子の何れか一方が接続される第２接続部と、基板の実装面側に配置される部位との間に基板側に突出する段差が設けられ、取付状態で第２接続部の表面が基板の実装面と同じ高さ又は当該実装面よりも反対面側に後退するように第２接続部を対応する第２貫通部に填め込んだことを特徴とする。
【発明の効果】
【００１３】
請求項１の発明によれば、開閉手段の一方の出力端子と電源との間、及び、開閉手段の他方の出力端子と負荷との間をそれぞれ導電部材で接続しており、接続される負荷の容量が大きくなった場合でも導電部材の厚みを厚くして断面積を大きくすればいいので、基板の外形寸法を大きくする必要がなく、従来例と比較して大きな負荷容量を有する小型のタイムスイッチを提供することができるという効果がある。また、接続される負荷の容量が大きくなった場合でも導電部材のみの厚みを厚くすればいいので、従来例と比較してコストアップを抑えることもできるという効果がある。さらに、導電部材と開閉手段とを基板の同じ実装面に配置しているので、開閉手段を基板に実装する際に半田槽を用いて一度で半田付けを行うことができ、従来例と比較して生産性を向上させることができるという効果がある。また、各導電部材において第１接続部と基板の実装面側に配置される部位との間に基板側に突出する段差を設け、取付状態で第１接続部の表面が基板の実装面と同じ高さ又は当該実装面よりも反対面側に後退するように第１接続部を対応する第１貫通部に填め込んでいるので、第１接続部が基板の実装面から出っ張ることがなく開閉手段の実装性が損われないという効果がある。
【００１４】
請求項２の発明によれば、導電部材を基板に取付ける際に、導電部材又は基板の何れか一方に設けた固定爪を他方に設けた固定孔に差し込んで嵌合させているので、基板に対して強い衝撃や振動が加わった場合でも導電部材が基板から外れたり緩んだりすることがなく、信頼性の高いタイムスイッチを実現することができるという効果がある。
【００１５】
請求項３の発明によれば、端子ブロックと導電部材と開閉手段とを基板の同じ実装面に配置しているので、端子ブロック及び開閉手段を基板に実装する際に半田槽を用いて一度で半田付けを行うことができ、従来例と比較して生産性を向上させることができるという効果がある。また、各導電部材において第２接続部と基板の実装面側に配置される部位との間に基板側に突出する段差を設け、取付状態で第２接続部の表面が基板の実装面と同じ高さ又は当該実装面よりも反対面側に後退するように第２接続部を対応する第２貫通部に填め込んでいるので、第２接続部が基板の実装面から出っ張ることがなく端子ブロックの実装性が損なわれないという効果がある。
【発明を実施するための最良の形態】
【００１６】
本発明の実施形態を図１〜図８に基づいて説明する。本発明に係るタイムスイッチは、接続された負荷Ｌ（例えば、照明など）を予め設定した時刻にオン／オフするために用いられる。尚、以下の説明では特に断りがない限り、図３中の矢印ａ−ｂの方向を前後方向、矢印ｃ−ｄの方向を上下方向、矢印ｅ−ｆの方向を左右方向として説明を行う。
【００１７】
このタイムスイッチは、図３及び図４に示すように前面側が開口するボディ２と、後面側が開口しボディ２の開口を閉塞する形でボディ２に被着されるカバー３と、ボディ２とカバー３とを結合することで形成されるケース１内に収納される基板ブロック４とを備えている。
【００１８】
基板ブロック４は、後述するタイマ回路５が形成された基板３８と、電源接続端子３６、３６及び負荷接続端子３７、３７を有する端子台ブロック６とで構成されている。図７はタイマ回路５のブロック図を示しており、タイマ回路５は、マイクロコンピュータからなり、計時用発振部３０からのクロック信号に基づいて現在の曜日や現在時刻を計時する時計部３１、及び、所望の時刻に負荷Ｌを制御するためのプログラムが格納されたプログラム記憶部３３が内蔵された制御部１７と、複数のプッシュ型ボタンからなる設定用スイッチ部１３と、スライドスイッチからなるモード切替スイッチ１６と、スライドスイッチからなる動作設定スイッチ１５と、液晶ディスプレイからなる液晶表示部１２と、複数のＬＥＤからなるＬＥＤ表示部１４（１４ａ、１４ｂ）と、電源接続端子３６、３６を介して入力された商用電源ＡＣから動作電源を生成する電源部３５と、商用電源ＡＣの停電を検出する停電検出部２８と、商用電源ＡＣの停電時に制御部１７に電源を供給する停電補償電源部３９と、負荷接続端子３７、３７を介して接続された負荷Ｌへの電源供給を制御部１７からのオン／オフ指令にしたがってオン／オフする出力部１９と、制御部１７の動作をリセットするリセット部２９と、制御部１７を動作させるクロック信号を生成する発振部３２とを備えている。ここに、制御部１７が出力制御手段を構成し、出力部１９が開閉手段を構成し、時計部３１が時計手段を構成し、設定用スイッチ部１３がプログラム設定手段を構成し、プログラム記憶部３３がプログラム記憶手段を構成している。尚、本実施形態のタイマスイッチでは、動作条件として所望の曜日を設定することもでき、例えば毎週月曜日の午前８時に負荷Ｌをオンさせるようなプログラムを設定することも可能である。
【００１９】
電源部３５は、図７に示すように電源接続端子３６、３６から入力される商用電源ＡＣを降圧する降圧回路３５ａと、降圧した入力電圧を直流変換して動作電源として各部へ供給する直流変換回路３５ｂとで構成され、電源の通電時には通電状態表示部１４ｂが点灯する。また、停電検出部２８により商用電源ＡＣの停電が検出されると、停電補償電源部３９からの電源供給に切り替わるようになっている。
【００２０】
また、出力部１９は、図７に示すように制御部１７からのオン／オフ指令にしたがって駆動信号を生成するドライブ回路１９ｂと、この駆動信号によって接点がオン／オフするリレー１９ａとで構成され、負荷Ｌはリレー１９ａの接点を介して電源に接続されており、リレー１９ａのオン／オフに応じて電源供給のオン／オフが切り替えられる。すなわち、リレー１９ａがオンして負荷Ｌへ電源が供給されている運転状態と、リレー１９ａがオフして負荷Ｌへ電源が供給されていない停止状態とが制御部１７によって制御されているのである。さらに、負荷Ｌを運転状態に制御しているときは出力状態表示部１４ａが点灯する。
【００２１】
また、図４及び図７に示すように一方の電源接続端子３６とリレー１９ａの一方の出力端子１９ｃとの間は帯板状に形成された導電部材２０により電気的に接続され、一方の負荷接続端子３７とリレー１９ａの他方の出力端子１９ｃとの間は帯板状に形成された導電部材２１により電気的に接続されている。
【００２２】
端子台ブロック６は、図１、図３及び図４に示すように、例えば合成樹脂からなる横長の端子台９を有し、端子台９の長手方向中央部にはタイムスイッチのケース１を被取付部に取付けるための固定ねじ２５が挿通されるねじ挿通凹部９ｂが凹設され、ねじ挿通凹部９ｂの上部にはねじ孔９ｄが形成されている。また、ねじ挿通凹部９ｂを間にして長手方向両側には、前面及び下面（図１中の後面及び下面）が開口し、電源接続端子３６、３６及び負荷接続端子３７、３７を構成する端子金具１０及び端子ねじ１１が収納される端子収納部９ｃがそれぞれ２個ずつ設けられており、隣接する端子収納部９ｃ、９ｃ間には、端子間の絶縁を確保するための絶縁壁９ａがそれぞれ設けられている。さらに、端子台９の幅方向に沿う両側壁には、ボディ２に設けた嵌合部２ｋの嵌合孔と嵌合する嵌合突起９ｅがそれぞれ設けられている。尚、本実施形態では、図３中の左側に配置した２個の端子が電源接続端子３６、３６を構成し、右側に配置した２個の端子が負荷接続端子３７、３７を構成している。
【００２３】
基板ブロック４を構成する基板３８はプリント基板であって、図１及び図２に示すように略矩形板状の基板本体３８ａと、端子台ブロック６を基板本体３８ａに実装する際に端子台９を載置するための端子台載置部３８ｂとが一体に形成されている。基板本体３８ａと端子台載置部３８ｂとの間には、基板３８の厚み方向に貫通する貫通溝３８ｅが基板３８の幅方向（図１中の左右方向）に沿って設けられており、基板本体３８ａと端子台載置部３８ｂとは一部分（図１では２箇所）のみで連結されている。この貫通溝３８ｅは、端子台載置部３８ｂを基板本体３８ａから容易に切り離しできるように設けたものであり、端子台載置部３８ｂは端子台ブロック６を基板本体３８ａに実装した後、貫通溝３８ｅの部分で基板本体３８ａから切り離される。尚、上記貫通溝３８ｅの代わりに、基板３８の幅方向に沿ってＶカットと呼ばれるＶ字状の溝を設けてもよい。
【００２４】
基板本体３８ａの前面において上部の左寄りには図４に示すように液晶表示部１２が配置されており、この液晶表示部１２は現在の時刻状態（例えば、現在の曜日、現在時刻、時刻カウント動作ドットなど）やタイマの設定状態（例えば、タイマを設定する時刻や負荷の動作状態を示す「入」、「切」など）などを表示する。また、基板本体３８ａの前面において液晶表示部１２の下部には、設定用スイッチ部１３が配置されており、設定用スイッチ部１３を構成する各プッシュ型ボタンの押操作により所望の曜日や時刻に負荷Ｌをオン／オフさせるプログラムが設定される。尚、各プッシュ型ボタンは、押圧された導電ゴムが基板本体３８ａに形成されたパターンに導通することによって、オン／オフ操作される所謂導電ゴムスイッチが用いられる。
【００２５】
さらに、基板本体３８ａの前面において液晶表示部１２及び設定用スイッチ部１３の右側には、負荷Ｌの出力状態を表示するＬＥＤからなる出力状態表示部１４ａ、スライド操作に応じて自動動作、連続入動作、連続切動作、手動一時入動作又は手動一時切動作の何れかの動作を設定する動作設定スイッチ１５、電源の通電状態を表示するＬＥＤからなる通電状態表示部１４ｂ、並びに、現在時刻を表示する時計表示モード、タイマを設定するタイマ設定モード又は現在時刻を設定する時計設定モードの何れかのモードに切替えられるモード切替スイッチ１６が上下方向に並んで配置されている。
【００２６】
ここに、自動動作とは、制御部１７がプログラム記憶部３３に記憶しているプログラムに基づいて時計部３１で計時している現在時刻とプログラムで設定された時刻（設定時刻）とを比較し、現在時刻が設定時刻に一致すると負荷を運転又は停止させる負荷制御動作のことをいい、連続入動作とは、制御部１７がプログラムに基づく運転／停止制御に関係なく、負荷の運転状態を連続的に維持する負荷制御動作のことをいい、連続切動作とは、制御部１７がプログラムに基づく運転／停止制御に関係なく、負荷の停止状態を連続的に維持する負荷制御動作のことをいう。また、手動一時入動作とは、制御部１７がプログラムに基づく運転／停止制御に関係なく、停止状態の負荷を一時的に運転状態にする負荷制御動作のことをいい、手動一時切動作とは、制御部１７がプログラムに基づく運転／停止制御に関係なく、運転状態の負荷を一時的に停止状態にする負荷制御動作のことをいう。尚、手動一時入動作は、動作設定スイッチ１５の操作部を自動動作の位置（図３中の真ん中の位置）から連続入動作の位置（図３中の上側の位置）に切替えた後、所定時間内に再び自動動作の位置に戻すことで設定され、手動一時切動作は、動作設定スイッチ１５の操作部を自動動作の位置から連続切動作の位置（図３中の下側の位置）に切替えた後、所定時間内に再び自動動作の位置に戻すことで設定される。
【００２７】
基板本体３８ａの後面には、図１、図２及び図４に示すように上部の右寄りに、例えば蓄電池からなる停電補償電源部３９が配置されるとともに、下部の左寄りに出力部１９を構成するリレー１９ａが配置され、さらにリレー１９ａの下部には端子台ブロック６が配置されている。また、リレー１９ａの一方（図１中の右側）の出力端子１９ｃと端子台ブロック６の一方の電源接続端子３６との間は、後面に配置された導電部材２０を介して電気的に接続され、リレー１９ａの他方（図１中の左側）の出力端子１９ｃと端子台ブロック６の一方の負荷接続端子３７との間は、後面に配置された導電部材２１を介して電気的に接続されている。すなわち、本実施形態の基板本体３８ａには、前面に液晶表示部１２や制御部１７を構成する演算素子２３や各操作スイッチ（設定用スイッチ部１３、動作設定スイッチ１５、モード切替スイッチ１６）などの弱電回路部品が配置されるとともに、後面にリレー１９ａや端子台ブロック６や導電部材２０、２１などの強電回路部品が配置されている。
【００２８】
而して、本実施形態のタイムスイッチでは、リレー１９ａ、端子台ブロック６及び導電部材２０、２１は何れも基板本体３８ａの後面に配置されているので、リレー１９ａ及び端子台ブロック６を基板本体３８ａに実装する際に半田槽を用いて一度で半田付けを行うことができ、従来例と比較して生産性を向上させることができる。
【００２９】
導電部材２０は、図１及び図２に示すように略Ｌ字状の主片２０ａを有し、主片２０ａの両端部には電源接続端子３６を構成する端子金具１０の先端部１０ａ（図５参照）が挿通される挿通孔２０ｄが貫設された接続部（第２接続部）２０ｂ、及び、リレー１９ａの出力端子１９ｃが挿通される挿通孔２０ｅが貫設された接続部（第１接続部）２０ｃがそれぞれ一体に設けられている。また、各接続部２０ｂ、２０ｃと主片２０ａとの間には、図２に示すように主片２０ａにおける接続部２０ｂ、２０ｃとの連結部位を斜め下方に折り曲げることによって前後方向（基板本体３８ａの厚み方向）に段差が設けられている。さらに、主片２０ａにおいて接続部２０ｃ側の部位には、前面側（基板本体３８ａ側）に突出し基板本体３８ａに貫設した固定孔３８ｆにそれぞれ差し込まれる一対の固定爪２０ｆ、２０ｆが一体に設けられている。
【００３０】
また、導電部材２１は、図１及び図２に示すように略Ｉ字状の主片２１ａを有し、主片２１ａの両端部には負荷接続端子３７を構成する端子金具１０の先端部１０ａ（図５参照）が挿通される挿通孔２１ｄが貫設された接続部（第２接続部）２１ｂ、及び、リレー１９ａの出力端子１９ｃが挿通される挿通孔２１ｅが貫設された接続部（第１接続部）２１ｃがそれぞれ一体に設けられている。また、各接続部２１ｂ、２１ｃと主片２１ａとの間には、図２に示すように主片２１ａにおける接続部２１ｂ、２１ｃとの連結部位を斜め下方に折り曲げることによって前後方向（基板本体３８ａの厚み方向）に段差が設けられている。さらに、主片２１ａにおいて接続部２１ｃ側の部位には、前面側（基板本体３８ａ側）に突出し基板本体３８ａに貫設した固定孔３８ｆに差し込まれる固定爪２１ｆが一体に設けられている。
【００３１】
一方、基板本体３８ａにおいて、導電部材２０の接続部２０ｂ及び導電部材２１の接続部２１ｂに対応する部位にはそれぞれ切欠部（第２貫通部）３８ｄが貫設され、接続部２０ｃ及び接続部２１ｃに対応する部位にはそれぞれ開口部（第１貫通部）３８ｃが貫設されている。
【００３２】
而して、導電部材２０を基板本体３８ａに取付ける場合には、接続部２０ｂを切欠部３８ｄに、接続部２０ｃを開口部３８ｃにそれぞれ填め込むとともに、各固定爪２０ｆを対応する固定孔３８ｆにそれぞれ差し込んで嵌合させると、導電部材２０が基板本体３８ａに取付けられる。この状態において、各接続部２０ｂ、２０ｃはその表面が基板本体３８ａの後面と略同じ高さとなるように配置されているので、各接続部２０ｂ、２０ｃが基板本体３８ａの後面から出っ張ることがなく、端子台ブロック６やリレー１９ａの実装性が損なわれない。また、導電部材２０に設けた一対の固定爪２０ｆ、２０ｆを基板本体３８ａに設けた固定孔３８ｆ、３８ｆにそれぞれ差し込んで嵌合させているので、基板本体３８ａに対して強い衝撃や振動が加わった場合でも導電部材２０が基板から外れたり緩んだりすることがなく、信頼性の高いタイムスイッチを実現することができる。尚、導電部材２１についても導電部材２０と同様にして基板本体３８ａに取付けられるため、説明は省略する。
【００３３】
ボディ２は、例えば厚みが薄い略矩形箱状の合成樹脂成形品であって、ボディ２の長手方向一端側（図４中の上側）の底面において幅方向略中央部にはタイムスイッチのケース１を被取付部に取付けるための固定ねじ２５が挿通されるねじ挿通孔２ｃが設けられ、ボディ２の長手方向他端側（図４中の下側）の底面には端子台ブロック６をガイドするための一対のガイド壁２ｇ、２ｇが前面側に向かって突設されている。而して、ボディ２の長手方向において、これらのガイド壁２ｇ、２ｇに対して上側に基板３８を収納するための基板収納部２ｈが形成され、ガイド壁２ｇ、２ｇに対して下側には端子台ブロック６を収納するための端子収納部２ｂ、２ｂが形成される。
【００３４】
また、ボディ２の基板収納部２ｈ側において長手方向に沿う両側壁及び幅方向に沿う側壁には、基板本体３８ａが当接する当接面を有する基板受け部２ｅが前面側に向かって複数（本実施形態では４個）突設されており、ボディ２の長手方向に沿う両側壁には、外側に向かって突出する嵌合突起２ｄがそれぞれ長手方向に沿って所定の間隔で２個ずつ設けられている。さらに、ボディ２の長手方向他端側（図４中の下側）において端子収納部２ｂ、２ｂ間には、端子台ブロック６の端子台９に設けたねじ挿通凹部９ｂと連通するねじ挿通凹部２ａが凹設されており、ボディ２の端子収納部２ｂ側において長手方向に沿う両側壁には端子台９の両側壁にそれぞれ設けた嵌合突起９ｅが嵌合する嵌合孔が形成された嵌合部２ｋがそれぞれ前面側に向かって突設されている。
【００３５】
また、ボディ２の裏面の長手方向中央部には、図５及び図６に示すようにボディ２をＤＩＮレール（図示せず）に取付けるための取付溝２ｊが幅方向（図５中の前後方向）に沿って設けられており、さらにボディ２の裏面の長手方向一端側（図６中の左側）には、ＤＩＮレール取付具８が取付けられている。また、取付溝２ｊにおいてレール取付具８と反対側の端縁には、内側に向かって突出する係止突部２ｌが一体に設けられている。
【００３６】
レール取付具８は例えば合成樹脂成形品であって、図４〜図６に示すように縦長の略Ｉ字状の主片８ｄを有し、主片８ｄの先端側には主片８ｄと交差する方向に延出するばね体８ｃが一体に設けられている。このレール取付具８は、ボディ２の底面に設けられた溝（図示せず）内に主片８ｄを挿通させることでボディ２に取付けられ、主片８ｄはこの溝に沿って、取付溝２ｊ内に挿入され取付溝２ｊの底面との間でＤＩＮレールの一方の係止片を挟持してＤＩＮレールを保持する保持位置と、取付溝２ｊ内から後退してＤＩＮレールの保持を解除する解除位置との間で進退自在に移動できるようになっている。
【００３７】
而して、ケース１をＤＩＮレールに取付ける場合には、ＤＩＮレールの幅方向一端側の係止片を取付溝２ｊの底面と係止突部２ｌとの間に差し込んだ状態で他端側の係止片を主片８ｄの先端部８ｂに当接させながらＤＩＮレールを取付溝２ｊ側に押し込むと、ＤＩＮレールからの押圧力により主片８ｄが外側（図６中の左側）に移動するとともにばね体８ｃが外側に付勢され、さらにＤＩＮレールを押込んで他端側の係止片が取付溝２ｊの底面と主片８ｄの先端部８ｂとの間に配置されると、ばね体８ｃからの反力（図６中の右方向の力）により主片８ｄが内側（図６中の右側）に移動し、他端側の係止片が取付溝２ｊの底面と主片８ｄの先端部８ｂとの間に挟持されて、ケース１がＤＩＮレールに取付けられる。
【００３８】
逆に、ケース１をＤＩＮレールから取り外す場合には、ばね体８ｃからの反力に抗してレール取付具８を取付溝２ｊ内から後退（図６中の左側に移動）させると、上記他端側の係止片の挟持状態が解除されて、ＤＩＮレールからケース１が取り外される。
【００３９】
また、ＤＩＮレール取付具８には、図４に示すように下端側（先端部８ｂと反対側）に固定ねじ２５が挿通するねじ挿通孔８ａが設けられており、このねじ挿通孔８ａと上述したボディ２のねじ挿通孔２ｃにそれぞれ挿通した固定ねじ２５、２５を用いて被取付部にねじ固定することもできる。ここにおいて、レール取付具８は、図３に示すようにケース１の下側の側面から外側へ突出しないように、ねじ挿通孔８ａが設けられた部位をねじ挿通凹部９ｂ、ねじ挿通凹部２ａ及びねじ挿通凹部３ｃで構成されるねじ挿通凹部内に配置している。
【００４０】
カバー３は、上下方向及び左右方向の寸法がボディ２と略同寸法に形成された略矩形箱状の合成樹脂成形品であって、ボディ２に被着することでボディ２とともにケース１を形成する。カバー３の長手方向一端側（図４中の上側）には、ボディ２のねじ挿通孔２ｃに連通するねじ挿通孔３ａが設けられ、カバー３の前面においてねじ挿通孔３ａの下側には、操作部表示シート７が取付けられる略矩形状の取付凹所３ｌが設けられている。また、取付凹所３ｌの底面において液晶表示部１２に対応する部位には、液晶表示部１２の表示内容を前方から視認可能とする略矩形状の開口窓３ｄが設けられ、この開口窓３ｄの下側には設定用スイッチ部１３を構成する各プッシュ型ボタンの操作部を前面側に露出させる複数の孔からなる露出部３ｅが設けられている。また、開口窓３ｄ及び露出部３ｅの右側には、出力状態表示部１４ａ及び通電状態表示部１４ｂに対応する部位にＬＥＤからの光を外部に露光するための露光窓３ｆ、３ｈがそれぞれ設けられるとともに、動作設定スイッチ１５及びモード切替スイッチ１６に対応する部位に各スイッチの操作部に取付けられる摘み１８を配置する溝３ｇ、３ｊがそれぞれ設けられ、溝３ｇ、３ｊの底部には各スイッチの操作部を前面側に露出させる露出孔が貫設されている。これらの露光窓３ｆ、３ｈ及び溝３ｇ、３ｊは、取付凹所３ｌ内において上下方向に並んで設けられている。尚、摘み１８は、各スイッチの操作性を向上させるために取付けられるものであり、溝３ｇ、３ｊ内に上下方向に移動自在に配置される。
【００４１】
さらに、カバー３の長手方向他端側（図４中の下側）には、端子台ブロック６を露出するための切欠部３ｂが設けられ、切欠部３ｂの上部には各端子の名称（本実施形態では、電源及び負荷）が記載されたネームプレート２７が取付けられている。ここにおいて、カバー３には、切欠部３ｂを開閉自在に閉塞する端子カバー４０が取付けられ（図６参照）、この端子カバー４０は固定ねじ（図示せず）を端子台９のねじ孔９ｅに螺着させることで端子台９に固定される。
【００４２】
また、カバー３の長手方向他端側において幅方向中央部には、側壁を内側に略コ字型に折り曲げて形成され、端子台９に設けたねじ挿通凹部９ｂ及びボディ２に設けたねじ挿通凹部２ａと連通するねじ挿通凹部３ｃが設けられている。さらに、カバー３の長手方向に沿う両側壁においてボディ２に設けた嵌合突起２ｄに対応する部位には、嵌合突起２ｄが嵌合する嵌合孔３ｋが設けられており、ボディ２の前面側からカバー３を被着するとともに、各嵌合突起２ｄを対応する嵌合孔３ｋに嵌合させることでケース１が組立てられる。
【００４３】
操作部表示シート７は、例えばアクリル樹脂などにより略矩形状に形成され、液晶表示部１２、出力状態表示部１４ａ及び通電状態表示部１４ｂに対応する部位には表示内容やＬＥＤからの光が前面側から視認できるように透明部７ａ、７ｂが設けられている。また、設定用スイッチ部１３、動作設定スイッチ１５及びモード切替スイッチ１６に対応する部位には、各スイッチの操作部を露出させる露出孔７ｃ、７ｄが設けられている。さらに、透明部７ｂ、露出孔７ｃ、７ｄの近傍には、各スイッチのモードやＬＥＤの表示対象などを示す文字列２６が例えば印刷により形成されている。この操作部表示シート７は、取付凹所３ｌ内に配置された状態でカバー３に固着され、上記摘み１８はこの操作部表示シート７とカバー３との間に挟まれた状態で溝３ｇ、３ｊ内に配置される。
【００４４】
カバー３の前面側には、図５及び図６に示すように前面カバー２２が取付けられる。この前面カバー２２は、下面が開口する略矩形箱状であって、例えば透明なアクリル樹脂などにより形成されており、前面カバー２２をカバー３に取付けた状態でも液晶表示部１２の表示内容や各スイッチの設定状態などが確認できるようになっている。
【００４５】
ここで、タイムスイッチの組立手順について図３及び図４に基づいて説明する。まず、ボディ２の下面にＤＩＮレール取付具８を取付けるとともに、基板本体３８ａが基板収納部２ｈ側、端子台ブロック６が端子収納部２ｂ、２ｂ側となるように前面側から基板ブロック４をボディ２内に収納する。この時、端子台９は両側壁に設けた嵌合突起９ｅがそれぞれ対応する嵌合部２ｋの嵌合孔に嵌合してボディ２に固定され、基板本体３８ａは４つの基板受け部２ｅの当接面（上面）と当接する。次に、カバー３を前面側からボディ２に被着するとともにボディ２の各嵌合突起２ｄを対応するカバー３の嵌合孔３ｋに嵌合させケース１を組立てる。この時、液晶表示部１２は開口窓３ｄを臨んだ状態に配置され、設定用スイッチ部１３の各プッシュ型ボタンは操作部を露出部３ｅの対応する孔からそれぞれ露出させた状態で配置される。また、出力状態表示部１４ａ及び通電状態表示部１４ｂは、それぞれ露光窓３ｆ、３ｈを臨んだ状態で配置されるとともに、動作設定スイッチ１５及びモード切替スイッチ１６は操作部を溝３ｇ、３ｊと連通する露出孔からそれぞれ露出させた状態で配置され、さらに端子台ブロック６はカバー３の切欠部３ｂを臨んだ状態で配置される。さらに、基板本体３８ａは、カバー３の内側面に設けた複数の基板押さえ部（図示せず）の下面と、ボディ２に設けた基板受け部２ｅの当接面との間で挟持される。最後に、各摘み１８をそれぞれ溝３ｇ、３ｊ内に配置するとともに、前面側から操作部表示シート７をカバー３の取付凹所３ｌ内に固着すると、図３に示すようにタイムスイッチの組立てが完了する。
【００４６】
さらに、組立てられたタイムスイッチはＤＩＮレールに取付けられたり、固定ねじ２５を用いて被取付部に取付けられ、電源線や負荷Ｌからの電線（ともに図示せず）がカバー３の切欠部３ｂを通して端子台ブロック６の電源接続端子３６、３６及び負荷接続端子３７、３７にそれぞれ接続される。そして、端子カバー４０を固定ねじを用いて端子台９に螺着し、前面カバー２２をカバー３に被着するとタイムスイッチの取付けが完了する。
【００４７】
次に、タイムスイッチによる負荷Ｌの制御動作について図８に基づいて説明する。制御部１７が動作を開始すると（ステップＳ１）、時計部３１により現在時刻の計時動作を行わせた後（ステップＳ２）、制御部１７は動作設定スイッチ１５のスライド操作によって設定された動作が自動動作であるか否かを判定する（ステップＳ３）。ステップＳ３において自動動作であると判定した場合には、制御部１７はプログラム記憶部３３に記憶されたプログラムで設定した曜日及び時刻と、現在の曜日及び時刻とを比較し（ステップＳ４）、現在の曜日及び時刻が設定された曜日及び時刻に一致すると制御部１７は出力部１９に対してオン／オフ指令を出力し、このオン／オフ指令に基づいて出力部１９が負荷Ｌをオン／オフさせる（ステップＳ５）。
【００４８】
また、ステップＳ３において自動動作でないと判定した場合には、制御部１７は動作設定スイッチ１５のスライド操作によって設定された動作が連続入動作または連続切動作であるかを判定する（ステップＳ６）。ステップＳ６において連続入動作または連続切動作であると判定した場合には、制御部１７はプログラムに関係なく出力部１９に対して連続的にオン／オフ指令を出力し、このオン／オフ指令に基づいて出力部１９が負荷Ｌを連続的にオン／オフさせる（ステップＳ７）。
【００４９】
さらに、ステップＳ６において連続入動作または連続切動作の何れでもないと判定した場合には、制御部１７は動作設定スイッチ１５のスライド操作によって設定された動作が手動一時入動作または手動一時切動作であるかを判定する（ステップＳ８）。ステップＳ８において手動一時入動作または手動一時切動作であると判定した場合には、制御部１７はプログラムに関係なく出力部１９に対して一時的にオン／オフ指令を出力し、このオン／オフ指令に基づいて出力部１９が負荷Ｌを一時的にオン／オフさせる（ステップＳ９）。
【００５０】
そして、負荷Ｌの制御動作が終了すると、計時動作に戻り（ステップＳ２）、以降、上記ステップＳ２〜Ｓ９を繰り返して負荷Ｌの動作制御を行う。
【００５１】
本実施形態のタイムスイッチでは、リレー１９ａの一方の出力端子１９ｃと一方の電源接続端子３６との間を導電部材２０を介して電気的に接続するとともに、リレー１９ａの他方の出力端子１９ｃと一方の負荷接続端子３７との間を導電部材２１を介して電気的に接続しており、接続される負荷Ｌの容量が大きくなった場合でも導電部材２０、２１の厚みを厚くして断面積を大きくすればいいので、基板本体３８ａの外形寸法を大きくする必要がなく、従来例と比較して大きな負荷容量を有する小型のタイムスイッチを提供することができる。また、接続される負荷Ｌの容量が大きくなった場合でも導電部材２０、２１のみの厚みを厚くすればいいので、従来例と比較してコストアップを抑えることもできる。
【００５２】
尚、本実施形態では、基板側に固定孔を設けるとともに導電部材側に固定爪を設けた場合を例に説明したが、基板側に固定爪を設けるとともに導電部材側に固定孔を設けてもよく、同様の効果が得られる。
【００５３】
また、本実施形態では、各接続部の表面が基板の後面（強電回路部品の実装面）と略同じ高さとなるように各接続部を対応する切欠部又は開口部に填め込んだ場合を例に説明したが、各接続部は基板の後面側に出っ張っていなければよく、各接続部の表面が基板の前面側に後退するように各接続部を対応する切欠部又は開口部に填め込んでもよい。
【００５４】
さらに、導電部材の形状は本実施形態に限定されるものではなく、リレーや端子台ブロックの位置などに応じて適宜設計すればよい。
【図面の簡単な説明】
【００５５】
【図１】本実施形態のタイムスイッチに用いられる基板ブロックの分解斜視図である。
【図２】同上に用いられる基板ブロックを構成する基板の分解斜視図である。
【図３】同上の斜視図である。
【図４】同上の分解斜視図である。
【図５】同上の断面図である。
【図６】同上の別の断面図である。
【図７】同上に用いられる基板に形成されたタイマ回路のブロック図である。
【図８】同上の負荷の制御動作を示すフローチャート図である。
【符号の説明】
【００５６】
１３  設定用スイッチ部（プログラム設定手段）
１７  制御部（出力制御手段）
１９  出力部（開閉手段）
１９ｃ  出力端子
２０  導電部材
２０ａ  主片
２０ｃ  接続部（第１接続部）
３１  時計部（時計手段）
３３  プログラム記憶部（プログラム記憶手段）
３８ａ  基板本体
３８ｃ  開口部（第１貫通部）
【図１】
0004881261.tif 000002
【図２】
0004881261.tif 000003
【図３】
0004881261.tif 000004
【図４】
0004881261.tif 000005
【図５】
0004881261.tif 000006
【図６】
0004881261.tif 000007
【図７】
0004881261.tif 000008
【図８】
0004881261.tif 000009